(57)【要約】【課題】携帯通信端末を、その表示パネルが縦長画面を表示する縦置き状態と、その表示パネルが仰角を備えて横長画面を表示する横斜め置き状態に保持可能な充電台を提供することを目的とする。【解決手段】携帯通信端末機を装着する本体部と、スタンドを備え、スタンドは、本体部の背面に軸着するアーム部と、アーム部の先に側面視略Ｌ字又は略Ｔ字型に連結した略三角形状の接地ベース部とからなり、アーム部の回転軸は、本体部の背面左右方向に対して所定の振れ角を有していて、接地ベース部であって、アーム部のねじれ回転により携帯通信端末機側部に向けて突出するホールド部を有していることを特徴とする充電台とした。【選択図】  図１
2006270237.tif 000002
【特許請求の範囲】
【請求項１】
携帯通信端末機を装着する本体部と、スタンドを備え、スタンドは、本体部の背面に軸着するアーム部と、アーム部の先に側面視略Ｌ字又は略Ｔ字型に連結した略三角形状の接地ベース部とからなり、アーム部の回転軸は、本体部の背面左右方向に対して所定の振れ角を有していて、接地ベース部であって、アーム部のねじれ回転により携帯通信端末機側部に向けて突出するホールド部を有していることを特徴とする充電台。
【請求項２】
本体部の背面に軸着したアーム部を本体部の底部側に回転し、アーム部の先に連結した接地ベース部の下面を接地面にすることで起立状態となることを特徴とする請求項１記載の充電台。
【請求項３】
本体部の背面に軸着したアーム部を本体部の頂部側に回転し、アーム部の先に連結した略三角形の接地ベース部から突出したホールド部の対辺を接地面にすることで伏臥状態となることを特徴とする請求項１記載の充電台。
【請求項４】
本体部の背面に軸着したアーム部を本体部の頂部側に回転し、アーム部の先に連結した略三角形の接地ベース部から突出したホールド部側の一辺を接地面にすることで横斜め置き状態となることを特徴とする請求項１記載の充電台。
【発明の詳細な説明】
【技術分野】
【０００１】
本発明は、携帯電話機等の携帯通信端末機用の充電台に関する。
【背景技術】
【０００２】
携帯電話機等の携帯通信端末機は二次電池を備え、充電台に装着して充電器と接続し、繰り返し充電を行って使用する。
これまでの充電台は例えば図６に示すように、軸部１２１を起点に回動する略Ｌ字型のスタンド１２０を設け、図６（イ）、図６（ロ）に斜視図と側面図をそれぞれ示すようにスタンド１２０の方向を切り替えて用途に応じて充電台１１０による携帯電話機１の支持形態を変更している。
通常の充電は、図６（イ）に示すように充電台１１０を起立させる。
この場合、携帯電話機の長手方向を上下方向とする画面を表示パネル５に表示する。
一方、図６（ロ）に示す形態は充電をしながらデータ通信を行うためのものである。
端子面４に通信用ケーブルを接続しようとすると、図６（イ）に示す充電台１１０を立てた状態では通信用ケーブルを取り回すための空間１２６に充分な大きさが得られない。
そこでスタンド１２０を回転させて図６（ロ）に示すように充電台１１０を寝かせることで通信端子４と設置面７との間に空間１２５を形成し、充電端子と併設している通信端子４に通信用ケーブル６を接続可能としている。
近年、携帯電話機の更なる多機能化に伴い、携帯電話機の表示パネル５にテレビ画面を映し出したり、パソコンやテレビ等と接続する用途が増加している。
その際に、携帯電話機の長手方向を横方向とした支持形態が望まれる。
しかしながら従来の充電台１１０では、携帯電話機を装着しやすいように携帯電話機の下部のみ保持する方法なので、横にすると携帯電話機の自重にて充電台から外れる問題があった。
特開２００４−３１２１０１号公報にはデータ通信を行う場合にスタンド高さを変える技術を開示するが携帯電話機を横向きに支持できないものである。
【０００３】
【特許文献１】特開２００４−３１２１０１号公報
【発明の開示】
【発明が解決しようとする課題】
【０００４】
本発明は上記技術的課題に鑑みて、携帯通信端末機を起立方向（縦置き）、伏臥方向（寝かせ置き）のみならず横斜め置きの選択使用可能な充電台の提供を目的とする。
【課題を解決するための手段】
【０００５】
本発明に係る充電台の技術的要旨は、携帯通信端末機を装着する本体部と、スタンドを備え、スタンドは、本体部の背面に軸着するアーム部と、アーム部の先に側面視略Ｌ字又は略Ｔ字型に連結した略三角形状の接地ベース部とからなり、アーム部の回転軸は、本体部の背面左右方向に対して所定の振れ角を有していて、接地ベース部であって、アーム部のねじれ回転により携帯通信端末機側部に向けて突出するホールド部を有していることを特徴とする。
【０００６】
携帯電話機等の携帯通信端末機（以下単に電話機と称する）において、装着しやすい観点から充電のみするときには起立状態（縦置き）にて電話機を装着し、電話機の下部（底部）を支持して充電端子接続するのがよい。
そして、液晶パネル等を用いた表示部を横にして、かつ、見やすいように斜め横置きにして充電台に支持するときには電話機が充電台から外れないように電話機の上部を横方向から支えるのが良い。
そのような観点から本出願に係る充電台が発明されたものである。
【０００７】
即ち、スタンドを本体部の背面に軸着するアーム部と、アーム部の先に側面視略Ｌ字型又は略Ｔ字型に連結した略三角形状の接地ベース部とで形成し、アーム部の回転軸を本体部の背面に対して左右方向に所定の角度振るようにした。
これにより、本体部の背面に軸着したアーム部を本体部の底部側に回転し、アーム部の先に連結した接地ベース部の下面を接地面にし、本体部を起立した状態に保持すると本体部に上から下に向けて電話機を縦置きできる。
【０００８】
これに対して、本体部の背面に軸着したアーム部を本体部の頂部側に回転し、アーム部の先に連結した略三角形の接地ベース部から突出したホールド部の対辺を接地面にすることで伏臥状態となり、電話機を寝かせた状態で支持できる。
また、スタンドの接地ベース部を充電台の頂部方向に回転するとアーム部の回転軸が本体部の背面左右方向に対して所定の振れ角を有しているので接地ベース部の一方が電話機側に向けて突出するようにねじり回転する。
即ち、この接地ベース部の突出側に電話機の側部を支持するホールド部を設けたことにより、本体部の背面に軸着したアーム部を本体部の頂部側に回転し、アーム部の先に連結した略三角形の接地ベース部から突出したホールド部側の一辺を接地面にすることで横斜め置き状態となり、ホールド部が電話機の上部を横方向から支え、電話機を横斜め置きに支持できる。
従って本発明において本体部背面の左右方向とは本体部を起立状態にしたときの背面に沿った水平方向をいい、起立状態での接地面側を底部及びそのときの上部を頂部と表現する。
【発明の効果】
【０００９】
本発明に係る携帯通信端末機用充電台は、スタンドを側面視略Ｌ字又は略Ｔ字型にし、アーム部を本体部の背面に左右の方向の振れ角を有して軸着し、接地ベース部を略三角形状にしたことによりスタンドの回転と接地ベース部の接地面又は接地辺を選択することで起立（縦置き）設置と、横斜め置き設置と、伏臥（寝かせ）設置の三形態の使用ができる。
横斜め置き設置では、表示パネルを横向きで設置面に対して所定角度傾けた状態に保持できるので、画面が見やすい。
データ通信用ケーブルを接続してデータ通信を行いたい場合には、充電台を横斜め置きでも伏臥状態でも通信ケーブル用の空間を携帯電話機の底部側に形成出来る。
【発明を実施するための最良の形態】
【００１０】
本発明に係る携帯電話機等の携帯通信端末機用充電台の構造について図を用いて説明する。
図１（イ）は携帯電話機１を充電台１０に起立（縦置き）状態で保持する場合の充電台１０を示し、図１（ロ）は携帯電話機を横斜め置き状態で保持する場合を示し、図１（ハ）は携帯電話機を伏臥（寝かせ）状態で保持する場合を示す。
なお、図１（ニ）は起立状態における側面視である。
充電器として必要なＡＣアダプタや電源ケーブル等は図示省略している。
充電台１０は本体部１１に携帯電話機１を収納装着する装着部１２と、本体部背面部１２ｂに取り付けて本体部１１を支持するスタンド２０とを備えている。
起立状態では、本体部底部１２ｂを設置面７に接地させて、スタンド２０で本体部１１を支持する。
装着部１２は、携帯電話機１の背面を保持する装着面１２ａと携帯電話機１を嵌合する嵌合凹部１３を備えている。
この凹部１３は、係合凹部１４ｃ、１４ｄを備えた受け部１４ａ、１４ｂを隙間１５を開けて配置している。
受け部１４ａ、１４ｂ内に係合爪（図示省略）等を設け、携帯電話機１側には端子面２ｂ付近に係合部（図示省略）を設けて互いに係合させることで携帯電話機１を凹部１３に嵌合する。
携帯電話機１を凹部１３へ嵌合した時に、係合凹部１４ｃ、１４ｄ内の充電端子１６と、携帯電話機１の受電端子３とを導通接続し携帯電話機１への充電を行う。
係合凹部１４ｃ、１４ｄ間の隙間１５は、充電台１０への携帯電話機１の装着時に、凹部１３内に配置される通信端子４に通信ケーブルを接続可能な大きさに形成している。
スタンド２０は本体部背面部１２ｂに図１（ニ）に示すように軸部２１を介して軸着している。
【００１１】
図５（イ）に軸部２１を軸としてスタンド２０を回転させる状態を示す。
スタンド２０はアーム部２２に軸部２１を備え、一端に板状で略三角形状の接地ベース部２３を側面視略Ｌ字型に備えている。
なお、接地ベース部は起立状態で一辺が本体側となる略三角形状であればよく、アーム部との連結は側面視Ｌ字状でもＴ字状でもよい。
そしてスタンド２０は軸部２１を中心として回動自在に装着部背面部１１ｃに連結している。
スタンド２０は回転させることで、図５（ロ）に示すように設置ベース部２３の位置を本体部１１の底部１１ａ側とした起立用位置と、底部１１ａの反対側で本体部頂部１１ｂ側とした伏臥用位置に選択可能としている。
図５（イ）において、接地ベース部２３は略三角形状で、その三角形状を一つの頂点２３ｅが本体部１１の反対側となり、その頂点２３ｅの対辺２３ｆが背面部１１ｃの面方向と略平行となるように配設している。
一方、軸部２１は背面部１１ｃの法線に対して本体部１１の幅方向に角度Ａ傾斜させて（振って）取り付けている。
そして、設置ベース部２３の本体部反対側の頂点２３ｅを挟んだ辺のうち、軸部を傾斜させた側の辺を伏臥接地部２３ｂとし、もう一方を横斜め置き接地部２３ｃとしている。
図５（ロ）のスタンド２０を回転して伏臥用位置とした状態において、軸部２１は左右方向に所定の振れ角で背面部１１ｃに軸支されていることから、接地ベース部２３の回転経路は本体部１１側に食い込み、本体部１１に対してねじりを加えたように設置ベース部２３は横斜め置き接地部２３ｃ側のホールド部２３ｄを本体部背面部１１ｃ側から装着部１２側へ移動し、設置ベース部２３に設けたホールド部２３ｄを、装着面１２ａを頂部１１ｂ側へ延長させた幅方向側端部に向かうように鈎状に突きだしている。
一方、伏臥接地部２３ｂの辺の方向は、この伏臥用位置で装着面１２ａに対して略平行となるように軸部２１の傾斜角度と伏臥接地部２３ｂの形状を設定している。
伏臥接地部２３ｂを接地させると図１（ハ）に示す装着面１２ａの幅（左右）方向が設置面７と平行な寝かせ置き設置状態となる。
横斜め置き接地部２３ｃの辺の方向は、装着面１２ａに対して所定角度Ｂを備えている。
横斜め置き接地部２３ｃの寸法と辺の角度Ｂは、図１（ロ）に示すように装着面１２ａの長手方向が接地面７と平行となり、幅（左右）方向が設置面７に対して所定の角度を形成する寸法と角度に設定している。
【００１２】
次に各態様の充電台について説明する。
図２は起立状態で充電台１０は装着部１２に、端子面２ｂを下側（設置面７側）にし、起立状態とした携帯電話機１を装着保持している。
図３に横斜め置き状態を示す。
図３（イ）は接地ベース部２３側からみた側面図を示し、図３（ロ）は斜視図を示す。
充電台１０は横斜め置き接地部２３ｃを設置面７に接地させて、携帯電話機１を横斜め置きにしている。
充電台１０は横斜め置き接地部２３ｃが図３（イ）に示すように装着面１２ａとの間に形成している角度Ｂ相当分斜め上方へ装着面１２ａを傾斜している。
これにより携帯電話機１の表示パネル５を同様に横向きにして斜め上方へ見やすい角度に傾斜している。
充電台１０はこの横斜め置き設置状態で、携帯電話機１の幅方向側の表示パネルの辺部５ａが設置面７の水平方向を向くように本体部１１の側面の接地部１１ｄと、横斜め置き接地部２３ｃとが同一平面上となるように寸法と形状を設定している。
また、長手方向側の辺部５ｂが設置面に対して傾斜し、表示パネル５が設置面に対して斜め上向きとなる仰角を備えるように設定している。
このため、表示パネル５に長手方向を水平方向とする横長画面を表示した場合に画面が見やすくなっている。
ホールド部２３ｄは装着している携帯電話機１のヒンジ部２ｄ側の端部２ｃの側面２ａに当たり横斜め置きにした携帯電話機１の位置がずれてしまわないように側面２ａを支持する。
また、携帯電話機１の端子面２ｂの法線の方向は設置面７の水平方向とほぼ等しくなり、端子面２ｂと設置面７との間に通信用ケーブルを接続するための空間２４を形成している。
これにより、受け部１４ａ、１４ｂの間の隙間１５から通信用ケーブル（コネクタ）６を接続し、データ通信を行いながら充電が可能である。
図４に寝かせた状態を示す。
図４（イ）は側面図を示し、図４（ロ）は斜視図を示す。
充電台１０は伏臥接地部２３ｂを設置面７に接地させて、携帯電話機１をその表示パネル５を上向きにして保持している。
携帯電話機１の端子面２ｂと接地面７との間には通信用ケーブル６を通すのに充分な空間２４が形成されているため充電を行いながらデータ通信できる。
【図面の簡単な説明】
【００１３】
【図１】本発明に関する携帯電話機充電台の三態様を示す。
【図２】起立（縦置き）状態を示す。
【図３】横斜め置き状態を示す。
【図４】伏臥（寝かせ置き）状態を示す。
【図５】スタンドの回転状態の説明図を示す。
【図６】従来の携帯電話機充電台を用いて携帯電話機のデータ通信を行う状態の説明図を示す。
【符号の説明】
【００１４】
１      携帯電話機
２ａ    携帯電話機のケース側面
２ｂ    携帯電話機端子面
２ｃ    端部
２ｄ    ヒンジ部
３      受電端子
４      通信端子
５      表示パネル（画面）
５ａ    表示パネル幅方向側辺部
５ｂ    表示パネル長手方向側辺部
６      通信用ケーブル
７      設置面
１０    充電台
１１    本体部
１１ａ  本体部底部
１１ｂ  本体部頂部
１１ｃ  本体部背面部
１１ｄ  側面接地部
１２    装着部
１２ａ  装着部の装着面
１３    凹部
１４ａ、１４ｂ  受け部
１４ｃ、１４ｄ  受け部の係合凹部
１５    受け部間の隙間
１６    充電端子
２０    スタンド
２１    軸部
２２    アーム部
２３    接地ベース部
２３ａ  起立（縦置き）接地部
２３ｂ  伏臥（寝かせ）接地部
２３ｃ  横斜め置き接地部
２３ｄ  ホールド部
２３ｅ  頂点
２３ｆ  頂点の対辺
２４    空間
【図１】
2006270237.tif 000003
【図２】
2006270237.tif 000004
【図３】
2006270237.tif 000005
【図４】
2006270237.tif 000006
【図５】
2006270237.tif 000007
【図６】
2006270237.tif 000008